(57)【要約】本発明はベース領域とヘッド領域(7)を有する外形付きストレーナ用バー(6)に関する。前記ヘッド領域のスロットのフランク(8,9)の間に濾過用スロットないしギャップが形成される。バーのヘッド領域の各スロット形成フランクは、上流側と下流側で共通中心を有する半径(R1,R2)を有している。好ましくはバスケット型とされたストレーナが提供され、ストレーナ用バー(6)の間に濾過用スロットないしギャップが形成されている。ストレーナ用バーは、ベース領域に嵌合形状部を有し、支持要素(3)の受溝に受入れられると共に適合状態で嵌合される。ストレーナ用バーは、ヘッド領域のスロット形成フランクが上流側と下流側で共通中心を有する半径を有する形状となるように外形付けられている。【選択図】図１
2016525445.tif 000002
【特許請求の範囲】
【請求項１】
ベース領域と、濾過用スロットないし濾過用ギャップを形成するスロットフランク(8,9)を有するヘッド領域(7)とを備えた外形付きストレーナ用バー(6)であり、前記スロット形成フランク(8,9)は、ストレーナ用バー(6)のヘッド領域(7)の上流側と下流側に半径(R1,R2)を有する構成において、前記ストレーナ用バー(6)のヘッド領域(7)におけるスロット形成フランク(8,9)の上流側と下流側のそれぞれの半径(R1,R2)は、共通の中心を有することを特徴とする外形付きストレーナ用バー。
【請求項２】
前記スロット形成フランク(8,9)の半径(R1,R2)は、異なる寸法とされていることを特徴とする請求項１に記載の外形付きストレーナ用バー。
【請求項３】
前記上流側のスロット形成フランク(8)の半径(R1)は、前記下流側のスロット形成フランク(9)の半径(R2)よりも大きいことを特徴とする請求項２に記載の外形付きストレーナ用バー。
【請求項４】
前記下流側のスロット形成フランク(9)の半径(R2)は、０．１ｍｍないし１．９ｍｍ、好ましくは０．２ｍｍないし０．５ｍｍであることを特徴とする請求項１ないし３の何れかに記載の外形付きストレーナ用バー。
【請求項５】
前記上流側のスロット形成フランク(8)の半径(R1)は、２．０ｍｍないし６ｍｍ、好ましくは２．１ｍｍないし４．０ｍｍであることを特徴とする請求項１ないし４の何れかに記載の外形付きストレーナ用バー。
【請求項６】
前記上流側及び下流側のスロット形成フランク(8,9)の半径(R1,R2)は、直線の接線により連結されていることを特徴とする請求項１ないし５の何れかに記載の外形付きストレーナ用バー。
【請求項７】
複数の外形付きストレーナ用バー(6)の間に濾過用スロットないし濾過用ギャップを形成した好ましくはストレーナバスケットの形式とされたストレーナ(1)であり、前記ストレーナ用バー(6)は、ベース領域を支持部材(3)の受溝に着脱不能に嵌入された構成において、前記ストレーナ用バー(6)は、上記何れかの請求項に記載された外形を備えていることを特徴とするストレーナ。
【請求項８】
前記ストレーナ用バー(6)は、ストレーナバスケット(6)の入口側から出口側の複数領域(A〜D)に対して、該ストレーナバスケットの高さ方向に分割した状態で配置され、それぞれが外形角度(β1, β2, β3, β4)又は外形深さ(t)を相違させられていることを特徴とする請求項７に記載のストレーナ。
【請求項９】
前記ストレーナ用バー(6)は、ストレーナバスケットの軸線に対して軸方向に整列されていることを特徴とする請求項７又は８に記載のストレーナ。
【請求項１０】
前記ストレーナ用バー(6)は、ストレーナバスケットの軸線に対して直線的に傾斜して整列されていることを特徴とする請求項７又は８に記載のストレーナ。
【請求項１１】
前記ストレーナ用バー(6)は、ストレーナバスケットの軸線に対して不連続的に湾曲して整列されていることを特徴とする請求項７又は８に記載のストレーナ。
【請求項１２】
前記ストレーナ用バー(6)は、ストレーナバスケットの入口側から出口側の高さに沿って配置され、それぞれの濾過用スロットないし濾過用ギャップを形成するスロットフランク(8,9)の間のスロットの幅(w)を一定不変にすると共に、ストレーナバスケットのスリーブ表面の接線に対する角度(β)を異ならせることにより異なる外形深さ(t)を形成していることを特徴とする請求項７ないし１１の何れかに記載のストレーナ。
【請求項１３】
ストレーナバスケットの入口側から出口側に向けて、それぞれの角度(β)又は外形深さ(t)を増大させていることを特徴とする請求項１２に記載のストレーナ。
【発明の詳細な説明】
【技術分野】
【０００１】
本発明は、ベース領域とヘッド領域を備えた外形付きストレーナ用バーに関し、該バーは、濾過用スロットないし濾過用ギャップを形成するスロットフランクを有している。更に、本発明は、ストレーナに関し、濾過用スロットないし濾過用ギャップがストレーナ用バーの間に形成されており、該バーは、そのベース領域をサポート部材の受溝に嵌入され、該サポート部材の受溝と前記ベース領域の形状を適合させることにより、着脱不能に取着されている。このようなストレーナは、「バー式ストレーナ」と称されている。これらのストレーナは、スクリーンプレートのような平面形状や、ストレーナバスケットのような丸みのある形状に形成することができる。
【背景技術】
【０００２】
外形付きストレーナ用バー及び該バーにより形成されたストレーナは、一般的に「バー式ストレーナ構造物」と称され、例えば、下記の特許文献により公知である。
【先行技術文献】
【特許文献】
【０００３】
【特許文献１】ＷＯ２００８／１１９５４８Ａ２
【特許文献２】ＥＰ  ０  ３１６  ５７０
【特許文献３】ＥＰ  ０  ４９９  １５４  Ｂ１
【特許文献４】ＥＰ  ０  ８０８  ９４１  Ｂ１
【特許文献５】ＥＰ  １  ２０５  ２２７  Ａ１
【特許文献６】ＤＥ  ４４  ３２  ８４２  Ａ１
【特許文献７】ＤＥ  １９６  ０９  ３１６  Ｃ２
【特許文献８】ＥＰ  ０  ７７４  ０２２  Ｂ１
【発明の概要】
【発明が解決しようとする課題】
【０００４】
ＷＯ２０１１／１５７５２９Ａ１に記載されたストレーナにおいて、ストレーナ用バーは、スロットを形成する左右のフランクにそれぞれ上流側の湾曲部と下流側の湾曲部を有している。これらの湾曲部は、中心が離れた半径を有しており、いかなる場合も、共通する中心点を有していない。
【０００５】
外形付きストレーナ用バー及び該バーにより形成されたストレーナは、ストレーナの全体の高さないし長手方向の軸線に交差する方向、つまりＺ方向に、スロットの幅と深さを本質的に不変としている。しかしながら、ストレーナの通過処理方向（スループット方向）ないしＺ方向に関して、濾過の実行と選別処理のためには異なる条件が求められる。例えば、厚さ条件ないしファイバーの太さ条件が変わる場合や、ストレーナの通過処理方向に対する容量が変わる場合である。
【０００６】
このため、本発明の目的は、選別効率を向上し、目詰まりのおそれが低く、高い通過処理能力を達成する外形付きストレーナ用バー及び該バーにより形成されたストレーナを提供することにある。
【課題を解決するための手段】
【０００７】
本発明によれば、上記目的のため、ベース領域とヘッド領域を備えた外形付きストレーナ用バーが提供され、ヘッド領域は、濾過用スロットないし濾過用ギャップを形成するスロットフランクを有している。本発明によれば、外形付きストレーナ用バーは、ロッドのヘッド領域にスロットを形成する上流側のフランクと下流側のフランクを有し、その半径が共通する中心を有することを特徴としている。選択可能な構成として、複数本の隣接するストレーナ用バーのヘッド領域においてスロットを形成する上流側のフランクと下流側のフランクは、共通中心を有する各々の半径を有する。ストレーナ用バーのヘッド領域でスロットを形成するフランクの湾曲部の半径は、上流側と下流側で共通する中心を有しているので、外形深さが変えられる場合や、ストレーナのスリーブの接線に対して異なる角度となるように濾過用スロットないし濾過用ギャップを形成するスロットフランクが方向を変えられる場合においても、スロットの幅は、一定かつ不変のままにすることができる。そこで、ストレーナに本発明のストレーナ用バーを設けることができ、該ストレーナは、縦方向ないし軸方向から見たときスロットの幅をほとんど不変としたままで、形状深さを相違させるように調整することができ、濾過処理のためのそれぞれの望ましい稼働条件に適合させることができる。特に、選別効率ないし濾過効率を向上させることが可能になる。更に、目詰まりのおそれを低下することができ、高い通過処理量を達成することができる。
【０００８】
本発明の外形付きストレーナ用バーの好ましい実施形態によれば、スロットを形成する複数のフランクの半径は、異なる寸法とすることができる。
【０００９】
本発明の外形付きストレーナ用バーの別の好ましい実施形態によれば、上流側のスロット形成フランクの半径を下流側のスロット形成フランクの半径よりも大きくすることができる。
【００１０】
好ましくは、外形付きストレーナ用バーは、下流側のスロット形成フランクの半径を０．１ｍｍないし１．９ｍｍ、好ましくは０．２ｍｍないし０．５ｍｍとするように構成されている。
【００１１】
外形付きストレーナ用バーは、好ましくは、上流側のスロット形成フランクの半径を２．０ｍｍないし６ｍｍ、好ましくは２．１ｍｍないし４．０ｍｍとするように構成されている。
【００１２】
更に、本発明によれば、上流側と下流側のスロット形成フランク（８、９）の半径（Ｒ１、Ｒ２）を直線の接線により連結した外形付きストレーナ用バーが提供される。
【００１３】
更に、本発明によれば、好ましくはストレーナバスケットの形式に構成されたストレーナが提供される。ストレーナは、外形付きストレーナ用バーの間に濾過スロットないし濾過ギャップを有しており、これらのバーは、そのベース領域をサポート部材の受溝に嵌入され、該サポート部材の受溝と前記ベース領域の形状を適合させることにより、着脱不能に取着されている。本発明によれば、ストレーナは、ストレーナ用バーのヘッド領域を上述した外形にするように形成したことを特徴としている。
【００１４】
そこで、ストレーナ用バーは、ストレーナのスリーブ表面に位置して、異なる外形深さとして及び／又は接線に対して異なる角度として配置することができるが、スロットの幅を本質的に不変とするので、ストレーナは、異なる稼働条件の下で、ストレーナの通過処理方向に対する濾過作業や濾過処理を行うことができる。これにより、高い通過処理能力を実現することができ、特に、濾過効率の向上が達成される。
【００１５】
好ましくは、ストレーナは、ストレーナバスケットの高さ方向に沿ってロッドを配置しており、該ロッドは、入口側から出口側に向けて分割された複数の領域において、異なる角度（β）又は異なる形状深さを有するように配置されている。この場合、ストレーナは、軸方向に向けて複数のセグメントないし領域に分割され、それぞれスロットの形状深さを相違しているが、常に、スロットの幅は、ほとんど変わらない。このような構成において、所定構成とされた支持要素、好ましくは所定構成とされた支持リングが各セグメントないし各セクションに配備される。一般的に、外形角度及び外形深さは、１つの支持要素から次の支持要素に向けて連続的に変化させることができる。どのような実施形態を選択するかに関わらず、濾過用スロットないし濾過用ギャップを形成するスロットフランクが特別な外形を有しているので、外形角度及び外形深さとは無関係に、濾過用スロットの幅は、常に、一定で不変とされている。
【００１６】
本発明のストレーナの好ましい実施形態によれば、ストレーナ用バーは、ストレーナバスケットの軸線に対して軸方向に整列させることができ、又は、スクリーンの軸線に対して直線的に傾斜させることができる。或いは、別の好ましい実施形態によれば、ストレーナ用バーは、ストレーナバスケットの軸線に対して不連続的に湾曲させることができる。ストレーナ用バーの方向は、濾過作業ないし濾過処理の条件に従って又は相応して選択される。
【００１７】
好ましくは、ストレーナは、ストレーナ用バーをストレーナバスケットの高さに交差して入口側から出口側に配置し、それぞれの濾過スロットにおいて、スロットフランクの間のスロット幅を一定で不変にしており、ストレーナバスケットのスリーブ表面の接線に対して異なる角度で配置することによりスロットの外形深さを異ならせることができる。好ましくは、ストレーナバスケットのスリーブ表面の接線に対する角度は、該ストレーナバスケットの入口側から出口側に向けて増大するように構成することができる。少なくとも本発明の好ましい実施形態において、ストレーナ用バーは、ストレーナバスケットのスリーブ表面の接線に対して、入口側から出口側に向けて異なる傾斜角度で傾斜させることにより、スロットの幅を変化させることなく、異なる外形深さを実現することができる。
【００１８】
本発明によれば、ストレーナ用バーは、濾過用スロットないし濾過用ギャップを形成するスロットフランクに関して、該ストレーナ用バーのヘッド領域における上流側フランクの半径と下流側フランクの半径が共通する中心を有するように構成している。その結果、複数のストレーナ用バーがスクリーンのスリーブ表面の接線に対してヘッド領域を異なる角度で配置したストレーナ、つまり、所謂「ロッドストレーナ」を提供することができ、これにより、スロットの幅をほとんど変化させない状態で、異なる外形深さを形成することができる。ヘッド領域のスロット形成フランクの各半径は、関連付けられた共通する中心を有しているので、傾斜角度により外形深さだけが変化させられ、スロットの幅は変化しない。
【００１９】
以下、図面を参照することにより本発明の好ましい実施形態を詳述するが、本発明がこれに限定されるものではない。
【図面の簡単な説明】
【００２０】
【図１】ツイストしたストレーナ用バーを備え、ストレーナバスケットの長手軸線に関して連続的に変化する角度外形と外形深さを有するストレーナバスケットの形式とされたストレーナを示す概略全体斜視図である。
【図２】２つの連続するストレーナ用バーのヘッド領域を拡大して示す概略詳細図である。
【図３】ストレーナバスケットの長手軸線方向から見たとき異なる外形深さとした領域を有するストレーナバスケットの形式とされたストレーナの好ましい実施形態を示す概略斜視図である。
【図４】ストレーナバスケットの軸線に対して軸方向に整列されたストレーナ用バーを有するストレーナの詳細を示す概略図である。
【図５】ストレーナバスケットの軸線に対して直線的に傾斜したストレーナ用バーを有するストレーナの別の異なる実施形態を示す概略図である。
【図６】ストレーナバスケットの軸線に対して不連続なカーブを有して配向されたストレーナ用バーを有するストレーナの別の異なる実施形態を示す概略図である。
【発明を実施するための形態】
【００２１】
図面の各図において、同一又は類似する部分は、同一符号で示している。
【００２２】
図１は、全体を符号１で示すストレーナの好ましい実施形態としての円筒状ストレーナバスケット２を示している。本発明のストレーナ１は、ストレーナプレートの形式でも実施可能なことを理解されたい。ストレーナ１は、複数の支持要素３を含み、図例では支持リング４として形成されている。所謂エンドフランジ５がストレーナ１の軸方向の端部に設けられている。ストレーナ用バー６は、前記支持要素３の対応する受溝に挿入されており、ヘッド領域７の間にそれぞれ濾過用スロットないし濾過用ギャップが形成されている。
【００２３】
図２は、例示した隣接する２つのストレーナ用バー６と共に、本発明の重要な特徴であるヘッド領域７の実施形態を示している。前記濾過用スロットないし濾過用ギャップを形成するスロットフランク８、９は、異なる半径Ｒ１、Ｒ２を有するが、両半径は共通する中心を有している。この構成により、ストレーナバスケットの仮想のスリーブ表面の接線に対する角度βとは無関係に、スロットの異なる外形深さや外形角度βを設定することができ、これに対して、スロットの幅ｗは、常に、ほとんど変わらない状態に保たれる。
【００２４】
図示していないが、異なる実施形態において、隣接するストレーナ用バー６のヘッド領域７における上流側のスロット形成フランクと下流側のスロット形成フランクは、共通の中心を有する各自の半径を持っている。
【００２５】
図３は、ストレーナ１の好ましい実施形態の１つの形態を図示しており、ストレーナバスケットの長手軸線方向に異なる複数の区域ないし領域Ａ、Ｂ、Ｃ、Ｄが形成されている。図３の右側に示す概略図から明らかなように、外形角度β1、β2、β3、β4が縦方向（高さ方向）に変化させられ、好ましくは、領域Ａから領域Ｄに至り角度を増大している。外形深さｔが変えられ、同様に図３に示すように、外形角度βに相応して、上部から下部に向けて深さを増大している。
【００２６】
図４ないし図６は、ストレーナバスケットの図示鎖線で示す軸線に対するストレーナ用バー６の好ましい配向例を示している。
【００２７】
図４に示すストレーナの好ましい実施形態によれば、ストレーナ用バーは、ストレーナバスケットの軸線に対して軸方向に整列させられている。図５に示すストレーナの好ましい実施形態によれば、ストレーナ用バー６は、ストレーナバスケットの軸線に対して角度αで直線的に傾斜させられている。最後に、図６に示すストレーナの好ましい実施形態によれば、ストレーナ用バー６は、ストレーナバスケットの軸線に対して不連続的に湾曲させられている。
【００２８】
本発明は、上述した構成に限定されるものではなく、当業者が実施できる種々の変更や変形が可能であることを理解されたい。特に、本発明の本質的構成は、スロットの幅ｗを変えることなく、ストレーナの縦方向に関して異なる外形角度βと外形深さｔを設定することができることである。これにより、それぞれの要求や、状況及び処理条件に対して、ストレーナを通過処理の方向に適応させると共に意図的にマッチさせることが可能となる。
【図１】
2016525445.tif 000003
【図２】
2016525445.tif 000004
【図３】
2016525445.tif 000005
【図４】
2016525445.tif 000006
【図５】
2016525445.tif 000007
【図６】
2016525445.tif 000008
【国際調査報告】
2016525445.tif 000009
2016525445.tif 000010
2016525445.tif 000011
2016525445.tif 000012